(57)【要約】【課題】  一つのラベルで、特定の相手に必要な情報だけを抽出させることが可能な情報処理装置及び情報処理方法並びに印刷媒体を提供する。【解決手段】  或る特定の規則に従って符号化したコードを図式化し、印刷した記録媒体（ラベル）を読込装置１で読込む際に、符号化した際の符号キー５に適用した復号化キー入力手段６により、一つのラベルで、特定の相手に必要な情報だけを抽出させるようにした情報処理装置及び情報処理方法並びに印刷媒体を提供する。【選択図】  図１
2006254243.tif 000002
【特許請求の範囲】
【請求項１】
伝達したい情報を特定の規則に従って符合化する符号化手段と、
前記符号化されたコードを特定の規則に従って図式化し、印刷したラベルを読取るラベル読取手段と、
前記符号化時の符号化キーを参照した復号化キーよりなる復号化キー入力手段と、
前記ラベル読取手段で読取ったデータと前記復号化キー入力手段で符号化した前記コードとを復号化する復号化手段と、
前記復号化手段で復号化されたコードから必要な情報のみを抽出する抽出手段と、
前記抽出手段で抽出されたデータを情報処理手段に伝送する通信手段と、
を備えたことを特徴とする情報処理装置。
【請求項２】
伝達したい情報を特定の規則に従って符号化手段により符合化するステップと、
前記符号化されたコードを特定の規則に従って印刷装置により図式化し、印刷したラベルを得るステップと、
前記図式化し、印刷したラベルをラベル読取手段により読取るステップと、
前記符号化手段の符号化時の符号化キーを復号キー入力手段に適用するステップと、
前記ラベル読取手段で読取ったデータと前記復号化キー入力手段で符号化した前記コードとを復号化する復号化ステップと、
前記復号化ステップで復号化されたコードから必要な情報のみを抽出する抽出ステップと、
前記抽出ステップで抽出されたデータを情報処理手段に伝送する通信ステップと、
を備えたことを特徴とする情報処理装方法。
【請求項３】
伝達したい情報を特定の規則で符号化したコードを図式化すると共に特定の相手に必要な情報を印刷して成ることを特徴とする印刷媒体。
【発明の詳細な説明】
【技術分野】
【０００１】
本発明は、符号化したコードを図式化し、印刷した印刷媒体を読取装置で読取る情報処理装置及び情報処理方法並びに印刷媒体に係わり、特に、読取装置で読取った情報を復号化させる入力手段を設け一つの印刷媒体で特定の相手に必要な情報だけを抽出することが出来る様にした情報処理装置及びその方法並びに記録媒体に関するものである。
【背景技術】
【０００２】
従来からの印刷処理方法では、ＣＤ−ＲＯＭ等の記憶媒体を利用して印刷業者へ印刷データを渡すか或はインターネット等のネットワークを介して印刷データを渡すようになされていたので、印刷データの取り扱いが煩雑であること、印刷データの中身自体が不特定多数の目に触れる可能性があった。又、機密性の高い内容の印刷データの取り扱いには非常に注意が必要であるので、データ管理の作業等について煩わしさを伴っていた。この様な弊害を無くし、機密性を保った状態で、データの受け渡しを簡易化し、利便性を向上させるようにした情報処理システムが特許文献１に開示されている。
【０００３】
図８は上記特許文献１に記載された印刷処理システムの機能構成を示したものである。ここでは、ユーザ側（ｈｏｍｅ／ｏｆｆｉｃｅ）の装置１１０を送信装置とし、出力センター側の装置１２０及びデータ管理センター側の装置１３０を受信装置としている。
【０００４】
ユーザ側の送信装置１１０は、一般家庭からオフィスまでの広範囲のエンドユーザを含み、出力センター側及びデータ管理センター側の受信装置１２０と１３０は、印刷サービスを提供する業者を含でいる。
【０００５】
送信装置１１０は、印刷データを作成する機能（印刷データ作成機能）１１１ａ、及び印刷データ作成機能１１１ａにより得られた印刷データを暗号化する機能（暗号化機能）１１１ｂを含む送信部１１１とデータ管理センター１３０から送信されてくるバーコードを印刷処理する機能（バーコード印刷機能）１１２とを備えている。
【０００６】
データ管理センター側１３０（受信装置）は、大容量ＨＤＤ等のストレージデバイス等により、ユーザ側（ｈｏｍｅ／ｏｆｆｉｃｅ）の装置１１０から送られてきたデータを管理、保存する機能（データ保持機能）１３１を備えている。
【０００７】
出力センター側１２０は、ユーザが出力センター１２０側へ出向き自分の印刷データを印刷物として得るための場所であり、受信装置内には、受信部１２１を備えている。受信部１２１は、ユーザが所持するバーコードを読み取る機能（バーコード読取機能）１２１ａと、データ管理センター側１３０にアクセスすることでバーコードに該当するファイルを検索する機能（ファイル検索機能）１２１ｂと、ユーザが復号化キーを入力するための機能（入力機能）１２１ｃと、復号化キーに基づいてファイルの印刷処理を行なう機能（印刷処理機能）１２１ｄとを備えている。
【０００８】
上記構成に於いて、特許文献１に開示されたものは、データ管理センター１３０内のデータ保持機能１３１は通信手段を介して送信されてきた対象情報（印刷データ）を示す特定情報（バーコード）を、対象情報の送信元の送信装置１１０に対して発行し、バーコード読取機能１２１ａは、送信元の送信装置１１０のユーザにより入力された特定情報を読取り。印刷処理機能１２１ｄは、バーコード読取機能１２１ａで得られた特定情報に対応する対象情報を処理（印刷処理）するように成したものである。即ち、送信装置１１０から送信されるバーコード化された情報を受信装置１２０、１３０側で受け取って、ユーザは復号化キーを押圧することで情報を出力することが可能な情報処理装置が示されている。
【０００９】
従来の情報処理装置や情報処理方法では、伝達したい情報を或る特定の規則に従って図式化し、印刷して例えば、バーコードの様なラベルとして流通させ、そのラベル情報を必要とする場所で読取装置を使って読取り、最後に必要に応じて必要なラベル情報を抽出していた。この様な、従来のシステム運用方法について図９乃至図１１を用いて詳記する。
【００１０】
図９（Ａ）、（Ｂ）は従来の情報処理装置及び情報処理方法のフローチャートを示すもので、図９（Ａ）はバーコード等のラベル生成のフローチャートを、図９（Ｂ）はラベル読取のフローチャートを示すものである。図９（Ａ）に於いて、第１のステップＳ１では伝達したい情報を用意し、第２のステップＳ２では、この用意した情報をパーソナルコンピュータ（以下ＣＰＵと記す）とプリンタからなり、且つ、ラベルをバーコードの様に図式化して印刷する図式化印刷装置に供給し、第３のステップＳ３に示す様に図式化され印刷されたラベル即ち、印刷媒体をプリントアウトする。
【００１１】
上述の様に、図式化され印刷されたラベルは図９（Ｂ）の第４のステップＳ４に示す様に所定の商品に貼り付けられラベルの読取装置１側に持ち来たされ、第５のステップＳ５に示す読取装置１に入力されて、図式化され印刷されたバーコードのラベルをカードリーダ等の読取装置１で読取る。第６のステップＳ６の通信手段２では読み取った情報を、利用する機器に伝達する。第７のステップＳ７ではＣＰＵ等の情報処理手段３で、読み取った情報から必要な情報のみを抽出する構成と成されている。
【００１２】
以上のように構成された従来の情報処理装置又は情報処理方法についての動作を以下、図１０及び図１１により具体的に説明する。ここでは従来のシステム運用例として、商品を製造する会社が商品の管理目的で幾つかの情報をバーコードにして印刷し、それを商品に関係する人が個々に抽出して所定の情報を取得する場合を想定する。
【００１３】
仮定として、図１０（Ａ）がバーコードに変換して伝達する情報の例で、ここでは「商品型番」、「ロット番号」、「出荷日」、「サービスコード」の４つの情報が存在し、４つの情報は図１０（Ｂ）に示す様に「,」(カンマ)を用いて１つのコードとされ、それが図１０（Ｃ）に示す「Ｃｏｄｅ１２８バーコード」で表現される。〔図１０（Ｃ）のバーコードはＣｏｄｅ１２８で示される。〕又、図１１はどの情報をどの人が必要としているのかを現した表で、ここでは○が「情報を知る必要がある」×が「情報を知る必要がない。或いは情報を知られたくない」場合を示している。図１１の「上記以外でバーコードを使う人」とは、例えば、この商品を複数所有し、管理する立場の人、例えばレンタルショップの店員や経営者、一般の会社で資産管理を担当している人を指す。
【００１４】
図９（Ａ）に示されるフローチャートでは伝達したい情報がリストアップされる。図９（Ａ）のラベル生成フローチャートの様に、夫々の情報は図式化印刷装置のＣＰＵに入力され、図１０（Ｂ）の様にカンマで結合されて１行のコードとなり、ＣＰＵのバーコード生成プログラムで図１０（Ｃ）の様なＣｏｄｅ１２８のバーコードとして表現される。その後、Ｃｏｄｅ１２８のバーコードは、プリンタによりラベとしてプリントアウトされ、所定の商品に張り付けられて市場に流通する。
【００１５】
一方、これらの情報を必要とする人はバーコードを利用して情報を収集する事になる。具体的には図９（Ｂ）のラベル読取りフローチャートの様に、商品に張り付けられたバーコードは、バーコードリーダ等の読取装置１で読み取られ、読取装置１内の通信手段２でＣＰＵ等の情報処理手段３に伝送される。読取られた情報には４つの情報が全て入っているため、必要な情報を抽出するためには情報処理手段３内のＣＰＵのプログラムによる抽出が必要となる。
【００１６】
上記例では、バーコードを生成する場合には、図１１の×印の様に「営業部門」及び「販売店」並びに「上記以外でバーコードを使う人」には「ロット番号」が、「サービス部門」及び「上記以外でバーコードを使う人」には「出荷日」を公開或いは知らせることを欲していない。それ故にバーコードを生成する側は、それぞれ情報を必要とする人がバーコードを読み取る場面で、バーコードを生成する側が用意した情報処理手段３の例えば、プログラムを使ってくれる事を推奨することになるが、ただ、これに従うかどうかは夫々の情報を必要とする人の考え方次第となり、実際には上記した例では、４つの全ての情報は秘匿性が無く公開されているのと同じ事になる。
【００１７】
上述の様に従来の情報処理装置や情報処理方法並びに印刷媒体では例記した４つの情報の全てが読み取られてしまうため、必要な情報だけを抽出するためにはバーコードリーダで読み取った後、ＣＰＵの特別のソフトウエアで抽出する必要があると言う問題があった。
【００１８】
又、バーコードを作成する側として、「全ての情報の中で特定の人には特定の情報のみを伝達したい」と言った要求があっても、従来の情報処理装置や情報処理方法並びに印刷媒体ではこの様な要求に対応出来ないと言った問題もあった。
【特許文献１】特開２００２−２０２８５８号公報
【発明の開示】
【発明が解決しようとする課題】
【００１９】
本発明は上記課題を解決するために成されたもので、本発明が解決しようとする課題は、バーコード等のラベルに記録した複数の図式化した情報のデータを当該データ中で必要とするデータのみ抽出して、他のデータの秘匿性を高めるように成した情報処理装置及びその方法並びに印刷媒体を提供することを目的とする。
【課題を解決するための手段】
【００２０】
第１の本発明の情報処理装置は、伝達したい情報を特定の規則に従って符号化する符号化手段と、符号化されたコードを特定の規則に従って図式化し、印刷したラベルを読取るラベル読取手段と、符号化時の符号化キーを参照した復号化キーよりなる復号化キー入力手段と、ラベル読取手段で読取ったデータと入力手段で符号化したコードとを復号化する復号化手段と、復号化手段で復号化されたコードから必要な情報のみを抽出する抽出手段と、抽出手段で抽出されたデータを情報処理手段に伝送する通信手段とからなるものである。
【００２１】
第２の本発明の情報処理方法は、伝達したい情報を特定の規則に従って符号化手段により符号化するステップと、符号化されたコードを特定の規則に従って印刷装置により図式化し、印刷したラベルを得るステップと、図式化し、印刷したラベルをラベル読取手段により読取るステップと、符号化手段の符号化時の符号化キーを復号キー入力手段に適用するステップと、ラベル読取手段で読取ったデータと復号キー入力手段で符号化したコードとを復号化する復号化ステップと、復号化ステップで復号化されたコードから必要な情報のみを抽出する抽出ステップと、抽出ステップで抽出されたデータを情報処理手段に伝送する通信ステップとからなるものである。
【００２２】
第３の本発明の印刷媒体は、伝達したい情報を特定の規則で符号化したコードを図式化すると共に特定の相手に必要な情報を印刷して成るものである。
【発明の効果】
【００２３】
第１及び第２の本発明によれば、「情報を必要とする人」に渡す「復号キー」で相手に公開する情報のラベルをコントロールする事が可能な情報処理装置及び情報処理方法が得られる効果を生ずる。
【００２４】
第３の本発明によれば、バーコードからなるラベル自体に秘匿性を持たせるだけでなく、特定の情報を特定のユーザのみに開示可能な印刷媒体が得られる効果を生ずる。
【発明を実施するための最良の形態】
【００２５】
本発明の情報処理装置及び情報処理方法並びに印刷媒体はバーコードのラベルに記録した複数の情報のデータを当該データ中で必要とするデータのみ抽出して、他のデータの秘匿性を高める様にしたものを得ようとするものである。
【００２６】
以下、図１乃至図７により本発明の情報処理装置及び情報処理方法を詳記する。図１は本発明の情報処理装置及び情報処方法の１形態例を示すフローチャート、図２は本発明の情報処理装置及び情報処理方法の１形態例を示す符号化手順のフローチャート、図３は情報処理装置及び情報処理方法の１形態例を示すバーコードに変換して伝達する情報例を示す図、図４は情報処理装置及び情報処理方法の１形態例を示す情報を必要とする毎の復号化サブキーリストを示す表、図５は情報処理装置及び情報処理方法の１形態例を示す復号化手順のフローチャート、図６は本発明の情報処理装置及び情報処理方法の１形態例を示す情報抽出手順の示すフェローチャート、図７は情報処理装置及び情報処理方法の他の形態例を示すバーコードに変換して伝達する情報例を示す図である。
【００２７】
以下、本発明の情報処理装置及び情報処理方法の１形態例を図１に示すフローチャートを参照して説明する。図１に於いて、図９（Ａ）（Ｂ）との対応部分には同一符号を付して説明を進める。図１（Ａ）側はラベル生成フローチャートを図１（Ｂ）はラベル読取フローチャートを示すもので、第１のステップＳ１では伝達したい情報を用意し、第２のステップＳ２では、この用意した情報をパーソナルコンピュータ（以下ＣＰＵと記す）とプリンタからなり、且つ、ラベルをバーコードの様に図式化して印刷する図式化印刷装置に供給し、第３のステップＳ３に示す様に図式化され印刷されたラベルを出力する。これら第１ステップＳ１乃至第３ステップＳ３は図９（Ａ）のフローチャートと同様である。
【００２８】
本発明の場合は第１ステップＳ１と第２ステップＳ２間に伝送したい情報を後述する所定の符号化手段で符号化する第８ステップＳ８が介在され、第９ステップＳ９に示す符号化キー５の押圧によって、第８ステップＳ８の符号化手段４がコード化される。この符号化キー５は後述する復号化キー入力手段６に適用されるように関連付けられている。
【００２９】
図１（Ｂ）に示すラベル読取フローチャート側では図式化され、印刷されたラベルが第４ステップＳ４に示す様に商品に貼られ、カードリーダの様な読取装置１で第５ステップＳ５の様にラベルの情報が読取られる。従来の構成では、読取られた情報は第６ステップＳ６の通信手段２を介して第７ステップＳ７の様に情報処理手段３で情報が抽出されるが、本発明では、第５ステップＳ５と第６ステップＳ６間に第１０乃至第１２ステップＳ１０か〜Ｓ１２が介在される。
【００３０】
第５ステップＳ５の読取装置１で読取られたラベルの情報は第１０ステップＳ１０で後述する所定の復号化手段７により復号化が行なわれる。この復号化は第１２ステップＳ１２に示す復号キー入力手段６の押圧動作によって行なわれる。復号化された情報は第１１ステップＳ１１に示す様に信号抽出手段８により信号が抽出されて、第６ステップＳ６の通信手段２を介して所定の信号処理手段に送信される。
【００３１】
上記した本発明の構成及び動作をまとめると、符号化手段４で、伝達したい情報を特定の規則に従い符号化し、読取装置１で、図式化され印刷されたバーコードラベルを読み取る。次に復号化キー入力手段６で、バーコードのラベルを生成する側が情報を必要とする人毎に生成した符号キー５の情報を入力し、復号化手段７で、読取装置１で読み取られた情報と復号キー入力手段６で入力された情報を元にして、情報を復号化し、情報抽出手段８で、復号化された情報から、バーコードを生成する側が許可した情報のみを抽出した後に通信手段２で、読取った情報を利用するＣＰＵ等の信号処理手段３側にその情報を伝達している。
【００３２】
以下、上記したフローチャートの動作を具体的に説明する。ここでは従来の構成例と対比させて説明を行うが、仮定として伝達しようとする情報は図３（Ａ）に示すような情報が存在し(これは従来の図１０（Ａ）の情報と同一である)、ラベルを生成する側は従来のシステムで説明した図１１に示すような「情報を必要とする人」を想定しているものとする。
【００３３】
先ず、図１（Ａ）のラベル生成フローチャートの様に、図３（Ａ）に示す夫々の情報はＣＰＵに入力され、カンマで結合されて１行のコードとなり、符号化手段４に入力される。符号化手段４では、図２（Ａ）（Ｂ）に示すような手順で符号化を行う。
【００３４】
図２（Ａ）に於いて、符号化開始時には図２（Ｂ）に示す様な入力コードが入力され、ＣＰＵは第１ステップＳＴ１では、文字数の合計は１０の倍数か否かの判断を行いＮＯの場合は〔図２（Ｂ）の場合２文字足りない）第２ステップＳＴ２に進み、１０の倍数となるように後ろにカンマを追加する〔図２（Ｂ）の場合カンマを２個追加している〕。第２ステップがＹＥＳの場合は第３ステップＳＴ３に進み１０文字をひとまとめにして文字の順番を符号化につかわれるコード（８１７９０５２６７３）の順序に入れ替えることで符号化が完了する。
【００３５】
又、図１（Ａ）に示す、ラベルを生成する側は、図１１の様に「情報を必要とする人」毎にどの情報を配布するかを決定し、図２（Ａ）（Ｂ）の符号化に使われるコード(８１７９０５２６７３)と図４の各復号化サブキーとを結合して、各「情報を必要とする人」毎に符号化キーに対応した復号化サブキーを生成し、配布する。(復号化サブキーの規則については、図４を参照。)
【００３６】
符号化手段４で符号化されたコードは図３（Ｂ）の示す様になり、従来のＣＰＵのプログラムによりバーコード化され、図３（Ｃ）に示す様な図式となり、これがプリンタで印刷されて、バーコードラベルとなり、このバーコードは商品に貼り付けられて、流通する。
【００３７】
一方、これらの情報を必要とする人はバーコードを利用して情報を収集する事になる。図１のラベル読取のフローチャートの様に、商品に張り付けられたバーコードは第５ステップＳ５のバーコードリーダ等の読取手段１で読み取られ、その情報は第１０ステップＳ１０の復号化手段７に送られる。復号化手段７では、事前に第１２ステップＳ１２の復号キー入力手段６に入力された情報を収集して置き、送られてきた情報と一緒にして復号化を行う。復号化は図５（Ａ）（Ｂ）に示すような手順で行う。
【００３８】
図５（Ａ）（Ｂ）は復号化を行なう場合の１例を示すもので、この場合は営業部門向けのキーコードを形成する場合を説明する。図５（Ａ）に於いて、復号化開始時には図５（Ｂ）に示す様な入力コードが復号化手段７に入力され、ＣＰＵは第１ステップＳＴＥ１では、復号化キー入力手段６により「情報を必要とする人」毎にどの情報を配布するかを決定し、例えば、使われるコード(８１７９０５２６７３)を復号化キーの前から１０文字のコードとして抽出する。第２ステップＳＴＥ２では１０文字ごとに情報を分割する。第３ステップＳＴＥ３では夫々の１０文字は、復号化キーの順番に並んでいるので零から順に並べ替える。第４ステップＳＴＥ４では、文字列の最後がカンマなら削除し復号化を完了する。
【００３９】
次に、図１に示す様に、第１１ステップＳ１１に示す情報抽出手段８で復号化されたコードと、復号化キーから情報抽出が行われる。情報抽出は図６（Ａ）（Ｂ）に示すような手順で行う。その後抽出された情報は、通信手段２に送られて、ＣＰＵ等の情報処理手段３に伝送される。
【００４０】
図６（Ａ）（Ｂ）のフローチャートに於いて、図６（Ｂ）に示す様なコードが情報抽出手段７に入力される。第１ステップＳＴＥＰ１では、復号化キー６の前から１０文字を削除し、情報を抽出する。第２ステップＳＴＥＰ２ではカンマを区切りとして、情報をカウントし前の過程で得られた抽出情報に従い情報を抽出する。第３ステップＳＴＥＰ３では抽出した情報を、再びカンマで結合し出力することで情報抽出を完了することになる。
【産業上の利用可能性】
【００４１】
尚、上述の説明は解り易くするため単純な符号化及び複合化を行っているが、実際の運用では秘匿性を考慮し、それに対応したアルゴリズムが適用される。同様に、情報抽出手段の抽出規則も複雑化し、復号化キー入力手段６をもっと多い桁数にする事で、偶然による情報の抽出を防ぐ事も可能である。又、印刷媒体としては紙等に印刷したバーコードラベルについて説明したが紙に限らず金属、合成樹脂、ガラス等に印刷して良いことは勿論である。
【００４２】
更に、「復号化キー入力手段６」をバーコードにすることで、復号化キーの入力を省く事も可能となる。(この場合復号化キーは商品に貼り付けるのではなく、Ｅメール等の伝送手段で相手に渡す事を想定している)又、別の応用例として、ハンディタイプのラベル生成装置と大容量の情報を記述出来る２次元バーコードを用いれば、商品に修理が必要となった時にその修理内容を記述し、符号化して新しいバーコードとして添付する事で、簡単に商品に履歴を残す事が出来る。これは現在主流となっている不揮発メモリへの書き込みも可能だが、そのためには専用の書き込み装置か特定の書き込み手順必要とする。
【００４３】
上述の構成では、情報を知る必要がない、或いは、情報を知られたくない場合は復号キーを入れて暗号化した情報を復号したが、逆に、誰にでも伝えていい情報も暗号化さされているため読み出すことが出来なくなる問題が生ずる。
【００４４】
例えば、図１１に示す商品番号は誰にでも公開してよい情報と言える。依って、図１０（Ａ）に示す商品番号の”ＡＢＣ−００１”の１つ目の区切り”  ”だけは符号化せず指定出来る様にそのままの情報をバーコードに記録する(勿論、実際には複数の区切りも可とする。)。つまり後ろの”１２３４５６７８９,２００５,０１.１６,ＺＸＹＶ９８７６５”に対して符号化を実行する。
【００４５】
図３（Ｃ）に示すバーコードの場合、現状は、図７のコードとなるが本例の場合はその他の運用方法に示す様にＡＢＣ−００１の部分は符号化せず、Ｘｘｘ．．．Ｘで示す部分は符号化するようにすれば良い。
【００４６】
上述の構成によれば、復号化きーの機能を入れていないバーコードリーダでが読み込んでも、最初のＡＢＣ−００１の部分だけが読めるようにすれば(ストップコード等の対応は必要)、広く行き渡った一般のバーコードリーダでも、“逆に誰にでも伝えていい情報”は読めるようになり、誰にでも伝えていい情報がよめるようになり実用的となる。
【図面の簡単な説明】
【００４７】
【図１】本発明の情報処理装置及び情報処理方法の１形態例を示すフローチャートである。
【図２】本発明の情報処理装置及び情報処理方法の１形態例を示す符合化手順のフロ−チャートである。
【図３】本発明の情報処理装置及び情報処理方法の１形態例を示すバーコードに変換して伝達する情報例を示す図である。
【図４】本発明の情報処理装置及び情報処理方法の１形態例を示す情報を必要とする毎の復号化サブキーリストである。
【図５】本発明の情報処理装置及び情報処理方法の１形態例を示す復号化手順のフローチャートである。
【図６】本発明の情報処理装置及び情報処理方法の１形態例を示す情報抽出手順の示すフローチャートである。
【図７】本発明の情報処理装置及び情報処理方法の他の形態例を示すバーコードに変換して伝達する情報例を示す図である。
【図８】従来の情報処理システムの１形態例を示す系統図である。
【図９】従来の情報処理システムの１形態例を示すフローチャートである。
【図１０】従来の情報処理システムの１形態例のバーコードに変換して伝達する情報例を表す図である。
【図１１】従来の情報処理システムの伝達する情報内容と情報配布許諾リストである。
【符号の説明】
【００４８】
１…読取装置、２…通信手段、３…情報処理手段、４…符号化手段、５…符号化キー、６…復号化キー、７…復号化手段、８…情報抽出手段
【図１】
2006254243.tif 000003
【図２】
2006254243.tif 000004
【図３】
2006254243.tif 000005
【図４】
2006254243.tif 000006
【図５】
2006254243.tif 000007
【図６】
2006254243.tif 000008
【図７】
2006254243.tif 000009
【図８】
2006254243.tif 000010
【図９】
2006254243.tif 000011
【図１０】
2006254243.tif 000012
【図１１】
2006254243.tif 000013